(57)【要約】【課題】スイッチ接点に対する突起から操作荷重を均一化することができるスイッチを提供する。【解決手段】プリント配線基板１１にスイッチ接点１２，１３が配置され、導光板１４がプリント配線基板１１と対向するように配置され、スイッチ接点１２，１３を押圧するための突起１６ｄを有する操作レバー１６が導光板１４に対して回動可能に配置されると共にその操作レバー１６を回動させた際にはスイッチ接点１２，１３を押圧可能とするように突起１６ｄのみが臨む開口１４ａが導光板に形成されている。【選択図】      図１
2004303542.tif 000002
【特許請求の範囲】
【請求項１】
スイッチ接点が配置された基板と、該基板と対向するように配置された導光板と、該導光板に対して回動可能に配置され且つ前記スイッチ接点を押圧するための突起が設けられた操作レバーとを備えたスイッチにおいて、前記操作レバーを回動させた際に前記突起のみが臨んで前記スイッチ接点を押圧可能とする開口が前記導光板に形成されていることを特徴とするスイッチ。
【請求項２】
前記操作レバーを回動させた際に前記突起を除いた周辺部分が弾接するクッション部材が前記導光板と前記操作レバーとの間に配置されていることを特徴とする請求項１に記載のスイッチ。
【発明の詳細な説明】
【０００１】
【発明の属する技術分野】
本発明は、スイッチ接点が配置された基板と、該基板と対向するように配置された導光板と、該導光板に対して回動可能に配置され且つ前記スイッチ接点を押圧するための突起が設けられた操作レバーとを備えたスイッチに関する。
【０００２】
【従来の技術】
従来から、各種家電機器や車両搭載電気機器には、アップ・ダウンスイッチや二方向スイッチなどのシーソー式スイッチのように、複数のスイッチ接点を一つの操作レバーで操作するスイッチが周知である。
【０００３】
また、このようなシーソー式スイッチは、２つのスイッチ接点の一方と接触可能となっていると共に、何れのスイッチ接点とも接触していない中間位置との間で回動変位する操作レバーを備えている。
【０００４】
さらに、このようなシーソー式スイッチには、操作レバーの位置やスイッチ接点の機能を認識させると共に、夜間等においてもその認識を可能とするために、光源等からの照明光を導く導光板を配置したものが知られている。
【０００５】
図６〜図８は、このような照明機能を具備したスイッチの一例を示し、図６は要部の分解斜視図、図７は非接触状態の要部の縦断面図、図８は接触状態の要部の縦断面図である。
【０００６】
図６において、１は２種類のスイッチ接点２，３を設けたプリント配線基板、４は図示を略する照明光源からの照明光束を導く導光板、５はプリント配線基板１と導光板４とを覆うように設けられた表面化粧パネル、６は表面化粧パネル５に回動可能に保持される操作レバーである。
【０００７】
プリント配線基板１は、使用される電気機器等に応じたものが採用され、図示を略するベース基板等に固定されている。
【０００８】
導光板４は、プリント配線基板１と対向して配置されており、上述したベース基板やプリント配線基板１、或いは表面化粧パネル５に固定されている。尚、導光板４の機能は、パネル照明やインジケータに使用されるもの等周知のものであるため、その詳細な説明は省略する。また、導光板４には、図７に示すように、スイッチ接点２，３の一部が臨むと共に、少なくとも操作レバー６よりも大きく且つその回動を許容する大きさの開口４ａが形成されている。
【０００９】
表面化粧パネル５の裏面には、一対のリブ５ａが突出形成されており、そのリブ５ａの先端には操作レバー６の操作部６ａから突出された軸部６ｂが保持される。尚、この軸部６ｂの保持は、上述したベース基板等と協働しての保持でも良いしリブ５ａによる単独保持でも良い。また、表面化粧パネル５には、一対のリブ５ａの間に位置して操作レバー６の操作部６ａが表面に露出する開口５ｂが形成されている。
【００１０】
操作レバー６は、側面視略半円状の操作部６ａと、この操作部６ａの基部寄り中央から突出された軸部６ｂと、操作部６ａの稜線に沿って突出された摘み６ｃと、操作部６ａの上下縁部中央から突出された接点押圧操作用の突起６ｄとを一体に備えている。
【００１１】
上記の構成において、例えば、スイッチ接点２をＯＮさせる場合には、図８に示すように、摘み６ｃを図示上方へと押し上げることにより操作レバー６が軸部６ｂを回動中心として図示上方側（時計回り方向）へと回動し、図示上方側の突起６ｄの先端がスイッチ接点２に当接し、これによりスイッチ接点２がＯＮする。
【００１２】
尚、このＯＮは、摘み６ｃを図示上方へと押し上げている限りにおいてＯＮしており、例えば、軸部６ｂに巻設された復帰スプリング（図示せず）の付勢力により押し上げ解除と同時に図７に示した状態へと回動復帰することによりＯＦＦされる。
【００１３】
ところで、このようなスイッチでは、その機能によって操作レバーの操作状況は異なるが、例えば、車両ドアウインドウガラス開閉用のスイッチや音響機器の早送り・巻き戻し用のスイッチ等、比較的長い期間操作レバーを強制的に一方側のスイッチ接点に接触させるものに適用されている。
【００１４】
しかしながら、このような構成では、スイッチ接点２への操作荷重は、操作する人の力加減によってしまうため、スイッチ接点２，３の故障や破損等が発生し易いという問題が生じていた。
【００１５】
尚、このような突起６ｄとスイッチ接点２，３との当接時における操作荷重を緩和するものとして、スイッチ接点をゴムシートで被覆し、そのゴムシートのスイッチ接点に対向する位置にそれぞれ導電体を設けると共に、シーソー型レバーに設けられたキートップにより導電体を押圧してスイッチの開閉を行なうようにすることが考えられる（例えば、特許文献１参照）。
【００１６】
【特許文献１】
特願平５−２０５５７４号公報
【００１７】
【発明が解決しようとする課題】
しかしながら、このようなスイッチ接点と突起との間にゴムシートを介装しても、操作荷重が若干緩和されるのみで、均一な操作荷重でスイッチ接点を押圧することはできず、依然としてスイッチ接点の故障や破損等を有効に防止し得るとは言い難かった。
【００１８】
本発明は、上記問題を解決するため、スイッチ接点に対する突起から操作荷重を均一化することができるスイッチを提供することを目的とする。
【００１９】
【課題を解決するための手段】
その目的を達成するため、請求項１に記載のスイッチは、スイッチ接点が配置された基板と、該基板と対向するように配置された導光板と、該導光板に対して回動可能に配置され且つ前記スイッチ接点を押圧するための突起が設けられた操作レバーとを備えたスイッチにおいて、
【００２０】
前記操作レバーを回動させた際に前記突起のみが臨んで前記スイッチ接点を押圧可能とする開口が前記導光板に形成されていることを要旨とする。
【００２１】
このような構成によれば、基板にスイッチ接点が配置され、導光板が基板と対向するように配置され、スイッチ接点を押圧するための突起を有する操作レバーが導光板に対して回動可能に配置されると共にその操作レバーを回動させた際にはスイッチ接点を押圧可能とするように突起のみが臨む開口が導光板に形成されている。
【００２２】
これにより、操作レバーを回動させた際には、突起のみがスイッチ接点に当接すると同時に、その突起周辺の操作レバーが導光板に当接するため、この導光板が操作レバーの回動規制部材の役割を果たし、操作荷重を均一に調整することが可能となる。
【００２３】
また、請求項２に記載のスイッチは、前記操作レバーを回動させた際に前記突起を除いた周辺部分が弾接するクッション部材が前記導光板と前記操作レバーとの間に配置されていることを要旨とする。
【００２４】
このような構成によれば、操作レバーを回動させた際に突起を除いた周辺部分が弾接するように導光板と操作レバーとの間にクッション部材が配置される。
【００２５】
これにより、操作レバーを回動させた際の操作レバーの突起を除いた周辺部分がクッション部材により当接するため、導光板の傷付きや破損が防止される。
【００２６】
【発明の実施の形態】
次に、本発明のスイッチの実施の形態を図面に基づいて説明する。
【００２７】
図１，図２において、１１は２種類のスイッチ接点１２，１３を設けたプリント配線基板、１４は図示を略する照明光源からの照明光束を導く導光板、１５はプリント配線基板１１と導光板１４とを覆うように設けられた表面化粧パネル、１６は表面化粧パネル１５に回動可能に保持される操作レバーである。
【００２８】
プリント配線基板１１は、使用される電気機器等に応じたものが採用され、図示を略するベース基板等に固定されている。
【００２９】
導光板１４は、プリント配線基板１１と対向して配置されており、ベース基板やプリント配線基板１１、或いは表面化粧パネル１５に固定されている。尚、導光板１４の機能は、パネル照明やインジケータに使用されるもの等周知のものであるため、その詳細な説明は省略する。また、導光板１４には、図３に示すように、スイッチ接点１２，１３の一部が臨む開口１４ａと、この開口１４ａを取り巻くように表面側に形成された凹部１４ｂとが形成されている。尚、凹部１４ｂには開口１４ａと略同一の開口１７ａを有するクッション部材１７が設けられている。
【００３０】
表面化粧パネル１５の裏面からは、一対のリブ１５ａが突出形成されており、そのリブ１５ａの先端には操作レバー１６の操作部１６ａから突出された軸部１６ｂが保持される。尚、この軸部１６ｂの保持は、上述したベース基板等と協働しての保持でも良いしリブ１５ａによる単独保持でも良い。また、表面化粧パネル１５には、一対のリブ１５ａの間に位置して操作レバー１６の操作部１６ａが表面に露出する開口１５ｂが形成されている。
【００３１】
操作レバー１６は、側面視略半円状の操作部１６ａと、この操作部１６ａの基部寄り中央から突出された軸部１６ｂと、操作部１６ａの稜線に沿って突出された摘み１６ｃと、操作部１６ａの上下縁部中央から突出された接点押圧操作用の突起１６ｄとを一体に備えている。
【００３２】
上記の構成において、例えば、スイッチ接点１２をＯＮさせる場合には、図４に示すように、摘み１６ｃを図示上方へと押し上げることにより操作レバー１６が軸部１６ｂを回動中心として図示上方側（時計回り方向）へと回動し、図示上方側の突起１６ｄの先端がスイッチ接点１２に当接し、これによりスイッチ接点１２がＯＮする。
【００３３】
この際、図５（Ａ）に示すように、開口１４ａの開口幅Ｗは、突起１６ｄの幅ｗ１よりもやや幅広となっているが、操作部１６ａの幅ｗ２よりは狭くなっている。
【００３４】
これにより、操作レバー１６を回動操作した際には、開口１７ａ，１４ａを突起１６ｄのみが臨み、図５（Ｂ）に示すように、突起１６ｄの先端がスイッチ接点１２に当接すると同時に操作部１６ａの縁部がクッション部材１７を介して導光板１４に当接する。
【００３５】
従って、操作レバー１６の回動範囲が、導光板１４によって規制され、それ以上の操作荷重がスイッチ接点１２に加わることが防止される。
【００３６】
尚、スイッチ接点１２は、摘み１６ｃを図示上方へと押し上げている限りにおいてＯＮしており、例えば、軸部１６ｂに巻設された復帰スプリング（図示せず）の付勢力により押し上げ解除と同時に図４に示した状態へと回動復帰することによりＯＦＦされる。
【００３７】
【発明の効果】
本発明のスイッチにあっては、以上説明したように構成したことにより、スイッチ接点に対する突起から操作荷重を均一化することができる。
【図面の簡単な説明】
【図１】本発明の実施の形態に係わるスイッチを示し、要部の分解斜視図である。
【図２】同じく、要部の分解側面図である。
【図３】同じく、非接触状態の要部の縦断面図である。
【図４】同じく、接触状態の要部の縦断面図である。
【図５】同じく、（Ａ）は接触状態の要部の拡大平面図、（Ｂ）は接触状態の要部の拡大側面図である。
【図６】従来の図一致を示し、要部の分解斜視図である。
【図７】同じく、非接触状態の要部の縦断面図である。
【図８】同じく、接触状態の要部の縦断面図である。
【符号の説明】
１１…プリント配線基板（基板）
１２…スイッチ接点
１３…スイッチ接点
１４…導光板
１４ａ…開口
１６…操作レバー
１６ｄ…突起
１７…クッション部材
１７ａ…開口
【図１】
2004303542.tif 000003
【図２】
2004303542.tif 000004
【図３】
2004303542.tif 000005
【図４】
2004303542.tif 000006
【図５】
2004303542.tif 000007
【図６】
2004303542.tif 000008
【図７】
2004303542.tif 000009
【図８】
2004303542.tif 000010